(57)【要約】【課題】  本発明は、道路の側溝及び深穴作業時、作業者に負担をかけることなく、土砂・ヘドロ・ゴミ・雪・火山灰などのすくいあげ、排出が楽にでき、手首及び肩、足腰への疲労を軽減し、押しても引いても多用途に使用できる首振シャベル構造である。  【解決手段】  中空パイプの内部に回転板、ストッパー金具、ばね受け及び圧縮バネを装着した芯棒と回転板、可動アームを装着した芯棒を回転部ホルダーを介して接続挿通し、握手部の内でレバーに接着している。中空パイプの先端には、支持板が接着してあり、レバーを引くことにより支点を中心にしてバケットが約９０度持ち上がる。また、レバーを回転することにより、ロックピンにストッパー金具が引っ掛りバケットの状態を固定できる首振りショベルである。 【選択図】  図１
2013217162.tif 000002
【特許請求の範囲】
【請求項１】
握手内部に引張機構を有し、中空パイプの柄を介して、先端のバケット部と連動し、バケット部が回転することを特徴とし、押し方向・引き方向でもバケットに所望物を取り込み、取り込んだ状態でロックができ、排出も簡単な首振りシャベル構造。
【請求項２】
作業形態に合わせて、レバーを180度回して使用すればバケット部の回転を抑止し、スコップと同じ使用が可能なワンタッチストッパー機構を有することを特徴とした首振りシャベル。
【発明の詳細な説明】
【技術分野】
【０００１】
本発明は、農作業、道路側溝、建設工事全般、又、狭く深い穴、マンホール、雨水桝、下水路の土砂・ゴミ除去・雪かきなど多用途に使用できるシャベルである。
【背景技術】
【０００２】
本発明者は、握手部に引張機構を有し、先端のバケット部が回転することで、押し引きに使用できる首振りショベルを提案している。（特許文献１参照）
【０００３】
2例は、泥掬い部の角度を、角度変更ジョイントで変更できるスコップが開示されている。
これは角度変更ジョイントを有して、スコップの角度を、変更するものである。
（特許文献２参照）
【０００４】
3例は、受皿部と柄部の角度を、段階的に変えるためのラチェット部と、このラチェット部による受け皿部近くにロック解除するためのロック解除レバーとを備えた排水桝用スコップである。（特許文献３参照）
【０００５】
従来のスコップ、シャベルなどは、握手部と先端のスコップが一体で固定されていて、作業する場合、狭く深い穴、側溝や桝、下水路の土砂等の・ゴミを除去する時、地面に平行に持ち上げる為に、困難で疲労する作業であった。
【０００６】
また、農作業、道路側溝、建設工事の掘削においても、従来のスコップでは、先端に重量がかかり、すくい上げる時、手元、腰などに負担がかかって疲労する度合いが大きかった。
ページ（２）
【先行技術文献】
【特許文献】
【０００７】
【特許文献１】特許公開２００１−１３２００５
【特許文献２】特許公開２００７−１７７５９９
【特許文献３】特許公開２０１０−２０３２１６
【発明の概要】
【発明が解決しようとする課題】
【０００８】
本発明は、従来の不便を解消し、狭く深い雨水桝でも隅々まで土砂・ゴミ等の除去に手を汚さずに、できるだけ作業者に負担をかけることなく、すくい上げ、 取り出すことのできるシャベルを提供する。
【０００９】
また、従来のスコップ、ジョレンでの作業における足腰、肩、手首の疲労の軽減を、その課題とするものである。      
【課題を解決するための手段】
【００１０】
上記の課題を解決する手段は、支持板（５）と中空パイプ（３）及び握手部（１）が固着してあり、支点（７）を中心に回転する構造である。
【００１１】
引張機構を有した中空パイプ（３）に取り付けられた握手部（１）のレバー（２）を引張することで、可動アーム（４）を介してバケット（６）が回転する構造である。
【００１２】
地面に沿って、バケット底面を当てると支点（７）を中心に握手部（１）の位置が、作業者の身体に合わせた状態で握持でき、手首が自然な状態で作業でき、作業者は、引き方向・押し方向の自由な作業形態を選ぶことも可能となる。
ページ（３）
【００１３】
深穴作業時は、土砂をバケット(６)にすくった後、握手部（１）を持ちレバー（２）を引張し、バケット(６)を回転させ、レバー（２）を、右でも左でも回すことによりバケット(６)がロックされレバー(２)を離しても、土砂を保持した状態で持ち上げ取り出し、所望する位置でレバー（２）を離し土砂を排出する。これを繰り返して、だんだん深く掘り下げることができる。
【発明の効果】
【００１４】
上記の如く構成した本発明において、先端バケット部が可動することによって、使用時に作業者の体位に合った作業ができるので、疲労の軽減を可能にし、従来のものにくらべ著しく楽に作業ができる。
【００１５】
深穴作業時も地面に沿って土砂をすくいとり、バケット部を回転させることによって、保持しながら取り出し、排出作業が無駄なくスムーズにできる。    
【図面の簡単な説明】
【００１６】
【図１】本発明の首振シャベル構造の内部構造図である。
【図２】引張機構を作動し、バケット（６）が回転した状態を示す斜視図である。
【図３】作業時に押して土砂・ゴミをすくう状態を示す側面図である。
【図４】作業時に引いて土砂・ゴミをすくう状態を示す側面図である。
【図５】深穴作業過程の土砂をすくう状態を示した側面図である。
【図６】深穴作業過程の土砂を保持した状態を示した側面図である。
【図７】深穴作業過程の土砂を排出した状態を示した側面図である。
【発明を実施するための形態】
【００１７】
以下、本発明の実施の形態を図面に基づいて説明する。
ページ（４）
【実施例１】
【００１８】
図１は、本発明の首振りシャベルであり以下の構成から成っている。中空パイプ（３）の内部に回転板（１７）、ストッパー金具（１４）（１５）、バネ受け（１２）及び圧縮バネ（９）を装着した芯棒(１１)と回転板(１７)、可動アーム（４）を装着した芯棒（１９）を回転部ホルダー(１６)を介して接続挿通し、握手部（１）の内でレバー（２）に接着している。中空パイプ（３）の先端には、支持板（５）が接着してあり、レバー（２）を引くことにより支点（７）を中心にしてバケット（６）が約９０度持ち上がる。また、レバー(２)を回転することにより、ロックピン（１３）にストッパー金具（１
４）（１５）が引っ掛りバケット（６）の状態を固定できる首振りショベルである。
【実施例２】
【００１９】
バケット部（６）には、余分な水抜きを可能とする水抜き穴（８）を設けているタイプもある。
【実施例３】
【００２０】
図２はレバー（２）を引張し、バケット（６）を回転した実施例である。
【実施例４】
【００２１】
図３は作業時、押して土砂をすくう実施例、図４は引いて土砂をすくう実施例である。    
【実施例５】
【００２２】
図５は、深穴作業時の土砂をバケット（６）ですくい、図６で示すようにレバー（２）を引張するとバケット（６）が回転し土砂を保持し、図７は所望の位置でレバー（２）を離すとバケット（６）が回転して土砂を排出する。
ページ（５）
【００２３】
以上、本発明について好適な実施例を挙げて説明したが、本発明はこの実施例に限定されるものでなく、発明の精神を逸脱しない範囲で多くの改変を施し得るのはもちろんのことである。
【符号の説明】
【００２４】
１  握手部  
２  レバー
３  中空パイプ
４  可動アーム
５  支持板
６  バケット
７  支点
８  水抜き穴
９  圧縮バネ
１０  可動軸受
１１  芯棒
１２  バネ受け
１３  ロックピン
１４  ストッパー金具
１５  ストッパー金具
１６  回転部ホルダー
１７  回転板
１８  回転板
１９  芯棒
【図１】
2013217162.tif 000003
【図２】
2013217162.tif 000004
【図３】
2013217162.tif 000005
【図４】
2013217162.tif 000006
【図５】
2013217162.tif 000007
【図６】
2013217162.tif 000008
【図７】
2013217162.tif 000009